【事件の表示】
　特許第３１２１６１２号「表示画面付スロットマシン」の請求項１乃至５に係る特許に対する特許異議の申立てについて、次のとおり決定する。
【結　論】
　訂正を認める。
　特許第３１２１６１２号の請求項１乃至５に係る特許を取り消す。
【理　由】
１．手続きの経緯
　本件特許第３１２１６１２号発明は、平成２年１１月２０日に出願され、平成１２年１０月２０日にその特許の設定登録がなされ、その後、鈴木良子及び村野親より請求項１乃至５に係る発明について特許異議の申立てがなされ、取消理由通知がなされ、その指定期間内である平成１４年１月１１日に訂正請求がなされたものである。
　
２．訂正の適否についての判断
（１）訂正の内容
　１）訂正事項ａ
　特許請求の範囲を次のように訂正する。
「【請求項１】スロットマシンのリールの
回り
　【請求項２】ゲーム内容に関する表示と適宜テレビ放送等による画像などの表示との切換えは、ゲームの一般入賞時又は特別入賞時に得られる信号により自動切換されるようにした請求項１の表示画面付スロットマシン。
　【請求項３】ゲーム内容に関する表示と適宜テレビ放送等による画像などの表示切換は、手動により随時行うことができるようにした請求項１又は２の表示画面付スロットマシン。
　【請求項４】表示画面はスロットマシン本体とは分離して形成し、スロットマシン本体の
前面上部
　【請求項５】テレビ放送は、一般のテレビ放送のほか、スロットマシン内に内蔵するか、又は、店内等に設けられた放映設備から供給される各種の映像，画像，文字などの表示である請求項１〜４のいずれかの表示画面付スロットマシン。」（下線は訂正個所を示す）
　２）訂正事項ｂ
　明細書の発明の詳細な説明の欄の「〔課題を解決するための手段〕上記課題を・・・形成する一方、」（本件特許掲載公報２頁３欄２６〜３０行参照）を次のように訂正する。
「〔課題を解決するための手段〕
　上記課題を解決することを目的としてなされた
本発明表示画面付きスロットマシンの構成は
回り
　３）訂正事項ｃ
　明細書の発明の詳細な説明の欄の「第２図に示したものでは、・・・後付けにより設置したものである。」（本件特許掲載公報２頁４欄３９〜４１行参照）を次のように訂正する。
「第２図に示したものでは、既設のスロットマシン、又は、高さをやや小さ目に形成したスロットマシンの
前面上部
　４）訂正事項ｄ
　明細書の発明の詳細な説明の欄の「〔発明の効果〕本発明は・・・表示画面に形成することにより、」（本件特許掲載公報３頁６欄１６〜１９行参照）を次のように訂正する。
「〔発明の効果〕
　本発明は以上の通りであって、スロットマシンの
リールの回りに設ける
　
（２）訂正の目的、新規事項の有無、拡張変更の存否の各要件についての判断
　１）訂正事項ａ
　本訂正は、請求項１について、「囲り」を正しい記載である「回り」に改め、請求項４について、「上部」を願書に添付した明細書又は図面に記載した事項（特に、第２図に係る記載参照）の範囲内で「前面上部」と限定するものであり、誤記の訂正と特許請求の範囲の減縮を目的とし、新規事項の追加に該当せず、実質上特許請求の範囲を拡張し又は変更するものでもない。
　２）訂正事項ｂ，ｃ，ｄ
　これらの訂正は、訂正された特許請求の範囲に発明の詳細な説明の記載を整合させるためのものであり、明りょうでない記載の釈明を目的とし、新規事項の追加に該当せず、実質上特許請求の範囲を拡張し又は変更するものでもない。
　
（３）訂正の適否のまとめ
　以上のとおりであるから、上記訂正は、特許法等の一部を改正する法律（平成６年法律第１１６号。以下「平成６年改正法」という。）附則第６条第１項の規定によりなお従前の例によるとされる、特許法第１２０条の４第３項において準用する平成６年改正法による改正前の特許法第１２６条第１項ただし書及び第２項の規定に適合するので、当該訂正を認める。
　
３．異議申立てについての判断
（１）本件請求項１乃至５に係る発明
　本件請求項１乃至５に係る発明は、訂正明細書の特許請求の範囲の請求項１乃至５に記載されたとおりのものである（上記訂正事項ａ参照）。
　
（２）引用刊行物とその記載事項
　当審が平成１３年１１月１日付けで通知した取消理由で引用した刊行物１，２とそれらの記載事項は次のとおりである。
　１）刊行物１：特開平１−１８５２７９号公報（異議申立人村野親提出の甲第９号証）
　ａ．「本発明はパチンコ機械又はパチスロ機械及びスロットマシン等の遊技装置に関するものである。」（１頁右下欄８〜９行）、
　ｂ．「本発明は、大当り機能を有する遊技機において、該遊技機の正面に適宜大きさの窓状の大当り表示部を設け、・・・その表示面に絵画、文字又はそれらが同時に表示され、・・・表示画面は、遊技者にとって楽しめるものを選択して表示するようにし、且つその表示を動画的に表示することによって更に目視によって楽しみが増大するのである。」（２頁右上欄１〜１２行）、
　ｃ．「次に本発明を図示の実施例により更に詳しく説明すると、１はパチンコ機械であり、該パチンコ機械の正面上部に遊技部２が設けられ、該遊技部に・・・入賞孔１３が複数個設けられ、・・・特に、大当りのための役物としては、例えばスロット１６が取付けられると共に、・・・スロット１６は特定されたいくつかの入賞孔１３にパチンコ球が入った時に駆動され、通常のスロットマシンのように、例えば３列配設してあるリングが回転し、停止した時に同じ絵又は数字が並んだ時に大当りになるのである。・・・これらの駆動は、ほとんどコンピュータを使用して制御しており、一般的に使用されているパチンコ機械である。」（２頁右上欄１４行〜右下欄１７行）、
　ｄ．「本発明は・・・目視で楽しめる大当り表示部２０を設け・・・即ち、パチンコ機械１の正面で且つ遊技部２の任意の位置に・・・表示装置２２を配設する。・・・表示装置としては、例えば液晶表示装置を使用し、前記大当りの駆動に伴って又は同期して駆動されるように配設される。」（２頁右下欄１８行〜３頁左上欄６行）、
　ｅ．「駆動部２４は、１回の表示画面において、・・・動画表示をすることもでき・・・画面の変更と同時に、その変更画面の中で動きを生じさせる」（３頁右上欄６〜９行）、
　ｆ．「本願発明の表示装置は・・・スロットマシン等の遊技機にも適用できる。」（３頁右上欄１６〜１８行）、
等が記載されており、また、図面には、パチンコ機械１の遊技部２においてスロット１６と重ならない位置に形成された大当り表示部２０が記載されている。
　これらの記載を対比のためにまとめると、刊行物１には次の発明が記載されているものと認められる。
「パチンコ機械やスロットマシン等の遊技機であって、目視による楽しみを増大するために、遊技機の正面で且つスロット１６と重ならない遊技部の任意の位置に、適宜の大きさの窓状に形成した大当り表示部２０の表示画面を液晶等の表示手段により形成する一方、該表示画面には、スロット１６の３列のリングが通常のスロットマシンのように回転・停止して同じ絵又は文字が並んだ大当りのときに絵画や文字を表示し、さらには動画表示もできるようにした表示画面付遊技機。」
　２）刊行物２：特開平２−１７７９８８号公報（異議申立人村野親提出の甲第１０号証）
　ａ．「本発明は、多数のパチンコ機を背向列設するパチンコ島に設置される表示装置に関し、特に画像を表示できる画像表示装置に関するものである。」（１頁左下欄１７〜１９行）、
　ｂ．「色彩や文字を表示できる画像表示装置であるため、・・・十分な情報を提供することができ・・・装飾効果を高めることができ、その分遊技場の・・・装飾部材を節約することもできる。更に、テレビ画像を表示させ・・・重要な情報については、テレビ画像に優先してその情報を表示するので、遊技客がテレビ画像を見ていても自動的に重要な情報に表示が切り換り、・・・テレビ画像に夢中になっていたためにパチンコ遊技に失敗する等のトラブルを防止することができる。」（２頁左上欄１５行〜右上欄８行）、
　ｃ．「第１図は・・・パチンコ島１の正面図で・・・操作板４には・・・画像表示装置１０の画像受像器１１に表示される画像をテレビ画像とテレビ画像以外の画像とに切換を行う画像切換スイッチ６が設けられている。」（２頁右上欄１２行〜左下欄４行）、
　ｄ．「各パチンコ機２の上方には・・・画像表示装置１０が設けられ・・・中央に画像を表示するための画像受像器１１が設けられ・・・画像受像器１１は、色彩や文字による当該パチンコ機２、あるいは遊技場に関連した情報やテレビ画像を表示できるようになっている。・・・情報として、例えば、・・・○１（以下、○印付き数字は丸数字を示す）遊技にトラブルが生じ・・・必要な情報・・・○２遊技中に当該パチンコ機２において、大当り状態となったときに必要な情報・・・○３当該パチンコ機２の遊技情報、例えば、遊技方法とか打ち止め回数とか大当り回数等・・・○４玉貸機に関する情報や遊技場の紹介、あるいは時刻の表示・・・○５色彩により・・・装飾効果・・・照明する効果」（２頁左下欄１３行〜右下欄１９行）、
　ｅ．「画像受像器１１は、通常の表示状態において、上記○３〜○５を表示するように制御されるが、遊技客が画面切換スイッチ６を押圧した場合にテレビ画像に切り換りテレビ番組を放映できるようになっている。また、必要に応じてテレビ番組に代えてビデオによる映像を放映しても良い。また、・・・テレビ画像が放映されている最中に上記○１及び○２の状態になったときは、自動的にその状態に応じた情報が表示されるように画像受像器１１が制御される。」（３頁左上欄４〜１５行）、
　ｆ．「画像表示装置１０及び操作板４の操作スイッチ５、６は、・・・ミニコンピュータ２０に接続され、該ミニコンピュータ２０が遊技場の管理室に設けられるホストコンピュータ２１に接続されている。ホストコンピュータ２１には、ビデオ映像を放映するためのＡＶ出力装置２２とテレビ映像を放映するためのＴＶ受信信号出力装置２３とが接続されている。」（３頁左下欄６〜１４行）、
　ｇ．「通常時、画像受像器１１は、ミニコンピュータ２０、あるいはホストコンピュータ２１に記憶された色彩又は文字等の情報に基づいて・・・情報を表示している。また、画面切換スイッチ６が押圧されたときは、ＴＶ受信信号出力装置２３からのテレビ映像、あるいはＡＶ出力装置２２からのビデオ映像が放映されている。なお、テレビ映像のチャンネルやビデオ映像の映し出しは、前記画面切換スイッチ６を押圧する毎に変化するように構成すれば、遊技客の所望の番組、あるいはビデオ映像を見ることができる。」（３頁左下欄２０行〜右下欄１１行）、
等が図面と共に記載されている。
　これらの記載からみて、刊行物２には、パチンコ機において、情報やテレビ画像などの提供と装飾効果を高めるなどのために、各パチンコ機の上方に設けた画像受像器１１に、遊技方法等の遊技情報の表示と、ビデオやテレビ番組等の映像，画像などの表示とを、切換えて表示させるようにすること、大当り状態になったときには自動的に大当り状態に応じた情報の表示に切換えること、前記遊技情報の表示と前記ビデオやテレビ番組等の映像，画像などの表示との切換は画面切換スイッチ６の押圧により遊技客が随時行うことができること、前記ビデオやテレビ番組等の映像，画像などの表示は、テレビ番組のほか、遊技場の管理室に設けられるホストコンピュータ２１に接続されたビデオからの映像などの表示であること、などの技術的事項が記載されているものと認められる。
　
（３）対比・判断
　１）本件請求項１に係る発明について
　本件請求項１に係る発明（以下、「前者」という）と刊行物１に記載された発明（以下、「後者」という）とを対比するに、後者は、スロットマシンであってもよいものであり、スロットマシンに特定できるから、両者は、「スロットマシンに表示画面を液晶等の表示手段により形成した表示画面付スロットマシン。」である点で一致し、次の点で相違する。
　＜相違点１＞表示画面を形成する位置について、前者がスロットマシンのリールの回りであるのに対して、後者はスロット１６と重ならない遊技部の任意の位置である点。
　＜相違点２＞表示画面の大きさについて、前者がスロットマシンの正面幅に収まる程度の大きさであるのに対して、後者は遊技部において適宜の大きさの窓状に形成した大当り表示部２０内の大きさである点。
　＜相違点３＞液晶等の表示手段について、前者が平面的であるのに対して、後者は定かでない点。
　＜相違点４＞表示画面による表示について、前者が、スロットマシンによるゲーム内容に関する表示と、専用放送，一般放送等の適宜テレビ放送等による映像，画像，文字などの表示とを、切換えて表示させるようにしたのに対して、後者は、スロット１６の３列のリングが通常のスロットマシンのように回転・停止して同じ絵又は文字が並んだ大当りのときに絵画や文字を表示し、さらには動画表示もできるようにした点。
　
　相違点１について検討するに、後者は通常のスロットマシンのように回転・停止して同じ絵又は文字が並んだときに大当りとなる３列のリングをスロットに備えるものであり、スロットマシンに特定した後者におけるこれらのリングをスロットマシンにおいて周知のリールとすることは単なる設計的事項にすぎない。
　そして、後者においては、具体的実施例としてパチンコ機械のみが示されて、表示画面をスロットと重ならない遊技部の任意の位置に形成するとしているが、後者の発明の趣旨からみて、要は遊技中の遊技者が目視できる任意の位置に形成されていればよいのであって、リールを備えたスロットマシンにおけるリールの周辺を遊技中の遊技者が目視できることは明らかであるから、スロットマシンに特定した後者における表示画面をスロットマシンのリールの回りに形成することは当業者が容易になし得る程度のことである。
　したがって、相違点１は当業者が容易になし得た設計の変更である。
　相違点２について検討するに、後者においては、具体的実施例としてパチンコ機械のみが示されて、表示画面は遊技部に収まる適宜の大きさとなっているが、スロットマシンにおいては表示画面をパチンコ機械のように遊技部に収めなければならないという制約がないことは明らかであるから、スロットマシンに特定した後者における表示画面をスロットマシンの正面幅に収まる程度の大きさとすることは当業者が必要に応じて適宜なし得る程度のことである。
　したがって、相違点２は当業者が必要に応じて適宜なし得た設計の変更である。
　相違点３について検討するに、普通一般にみられる液晶表示手段の表示画面は平面的であるから、この点は単なる設計的事項にすぎない。
　相違点４について検討するに、上記刊行物２には、画像受像器に、遊技方法等の遊技情報の表示と、ビデオやテレビ番組等の映像，画像などの表示とを、切換えて表示させることが記載されており、これらの表示と切換えに係る事項は、前者における、ゲーム内容に関する表示と、専用放送，一般放送等の適宜テレビ放送等による映像，画像，文字などの表示とを、切換えて表示させるようにしたことに対応する。
　刊行物２記載の上記表示と切換えに係る事項は、パチンコ機に関するものとして記載されているが、技術思想としてはパチンコ機特有のものというものでもない。
　ところで、後者における表示画面は大当りとなったことを表示するものであるが、後者においては、大当り表示のようにパチンコ機械やスロットマシンのいずれかに特有のものというものでなければ、パチンコ機械とスロットマシン相互に適用できることが示唆されているものである。
　しかも、後者における表示画面は、大当りとなったことを表示する点で刊行物２記載の表示内容と共通し、かつ、動画表示もできるものである。
　してみれば、後者における表示画面に、刊行物２記載の上記表示と切換えに係る事項の表示を行わせて切換えができるようにすることは、当業者ならば容易に想到し得る程度のことである。
　したがって、相違点４は当業者が容易に想到し得た設計の変更である。
　そして、前者の作用効果にも、刊行物１及び刊行物２の記載から予測できる以上の格別のものは認められない。
　以上のことから、前者すなわち本件請求項１に係る発明は、刊行物１及び刊行物２に記載された発明に基づいて当業者が容易に発明をすることができたものである。
　
　なお、特許権者は、特許異議意見書において、後者をスロットマシンに特定した場合には、表示画面は、リールか、リールが設けられている孔か、あるいは各リール孔の間に形成されることになる旨主張しているが、このような見方はきわめて特異であり、かつ、後者における表示画面はスロットと重ならない任意の位置に形成されていることから、この主張は採用することができない。
　また、特許権者は、同書において、刊行物２記載のものはパチンコ機を設置するための設備である島に係るものであるからパチンコ機とは別異のものである旨主張しているが、刊行物２記載の画像受像器がパチンコ機の上方に設けてあるとしても、画像受像器は各パチンコ機毎に設けられていて画像受像器付パチンコ機として把握することに阻害要因はないから、この主張も採用することができない。
　参考までにいえば、パチンコ機においては、各種情報とテレビ画像とを表示するようにした表示画面をパチンコ機本体の正面に設けることは周知である（例えば、特開昭５３−８９５１８号公報（異議申立人鈴木良子提出の甲第２号証）、特開昭５４−２７８３８号公報（異議申立人鈴木良子提出の甲第３号証）、特公昭６０−５６５０７号公報（異議申立人村野親提出の甲第１号証）、特開昭５３−１４０１４１号公報（異議申立人村野親提出の甲第４号証）等参照）。
　
　２）本件請求項２に係る発明について
  本件請求項２に係る発明は、本件請求項１に係る発明について、「ゲーム内容に関する表示と適宜テレビ放送等による画像などの表示との切換えは、ゲームの一般入賞時又は特別入賞時に得られる信号により自動切換されるようにした」点を限定したものである。
　この限定した点について検討するに、上記刊行物２には、遊技方法等の遊技情報の表示とビデオやテレビ番組等の映像，画像などの表示とを切換えて表示させるようにしてあって、大当り状態になったときには自動的に大当り状態に応じた情報の表示に切換えることが記載されており、「大当り状態になったとき」は「特別入賞時」ということができ、大当り状態になったときの自動切換に大当り状態になったときに得られる信号を用いることは当然のことであるから、この刊行物２に係る記載事項は上記限定した点に対応するものである。
　そして、刊行物２に係る上記記載事項は、技術思想としてはパチンコ機特有のものというものでもないから、前記、本件請求項１に係る発明についての相違点４の検討で述べた理由と同様の理由により、刊行物１記載の発明に適用することは当業者において容易なことである。
　しかも、本件請求項２に係る発明の作用効果も、上記の点を限定したことで、刊行物１，２の記載から予測できる以上の格別のものになるとは認められない。
　したがって、本件請求項２に係る発明は、刊行物１及び刊行物２に記載された発明に基づいて当業者が容易に発明をすることができたものである。
　
　なお、特許権者は、特許異議意見書において、本件請求項２に係る発明の自動切換は、入賞時にその信号が得られたとき「だけ」なされる旨主張しているが、特許請求の範囲に記載された請求項２には該「だけ」とする記載はないから、この主張は採用できず、また、どの情報を優先して自動的に切換表示させるかは必要に応じて適宜選択できることでもある。
　
　３）本件請求項３に係る発明について
  本件請求項３に係る発明は、本件請求項１又は２に係る発明について、「ゲーム内容に関する表示と適宜テレビ放送等による画像などの表示切換は、手動により随時行うことができるようにした」点を限定したものである。
　この限定した点について検討するに、上記刊行物２には、遊技方法等の遊技情報の表示とビデオやテレビ番組等の映像，画像などの表示との切換を画面切換スイッチ６の押圧により遊技客が随時行うことができることが記載されており、画面切換スイッチ６の押圧は遊技客が手動により行うものであるから、この刊行物２に係る記載事項は上記限定した点に対応するものである。
　そして、刊行物２に係る上記記載事項は、技術思想としてはパチンコ機特有のものというものでもないから、前記、本件請求項１に係る発明についての相違点４の検討で述べた理由と同様の理由により、刊行物１記載の発明に適用することは当業者において容易なことである。
　しかも、本件請求項３に係る発明の作用効果も、上記の点を限定したことで、刊行物１，２の記載から予測できる以上の格別のものになるとは認められない。
　したがって、本件請求項３に係る発明は、刊行物１及び刊行物２に記載された発明に基づいて当業者が容易に発明をすることができたものである。
　
　４）本件請求項４に係る発明について
  本件請求項４に係る発明は、本件請求項１乃至３のいずれかに係る発明について、「表示画面はスロットマシン本体とは分離して形成し、スロットマシン本体の前面上部に後付けした」点を限定したものである。
　この限定した点について検討するに、前記、本件請求項１に係る発明についての相違点１の検討で述べたように、スロットマシンに特定した刊行物１記載の発明における表示画面は、スロットマシンのリールの回りに形成することが当業者とって容易であり、かつ、リールの回りの任意の位置でよいのであるから、リールの回りのうち上部側すなわちスロットマシン本体の上部に形成するとしたことに格別のものはない。
　また、液晶表示手段の表示画面となる部分は、普通一般に平板状の液晶板で形成されており、液晶板が単独で取付けられるものであることは周知であるから、液晶表示手段により形成した表示画面をスロットマシン本体と分離して形成し、スロットマシン本体の前面側に後から取付けるようになすことは、取付けに係る単なる選択的設計事項にすぎない。
　しかも、本件請求項４に係る発明の作用効果も、上記の点を限定したことで、刊行物１，２の記載から予測できる以上の格別のものになるとは認められない。
　したがって、本件請求項４に係る発明は、刊行物１及び刊行物２に記載された発明に基づいて当業者が容易に発明をすることができたものである。
　
　５）本件請求項５に係る発明について
  本件請求項５に係る発明は、本件請求項１乃至４のいずれかに係る発明について、「テレビ放送は、一般のテレビ放送のほか、スロットマシン内に内蔵するか、又は、店内等に設けられた放映設備から供給される各種の映像，画像，文字などの表示である」点を限定したものである。
　この限定した点について検討するに、上記刊行物２には、ビデオやテレビ番組等の映像，画像などの表示は、テレビ番組のほか、遊技場の管理室に設けられるホストコンピュータに接続されたビデオからの映像などの表示であることが記載されており、遊技場の管理室に設けられるホストコンピュータに接続されたビデオは店内等に設けられた放映設備といえるから、この刊行物２に係る記載事項は上記限定した点に対応するものである。
　そして、刊行物２に係る上記記載事項は、技術思想としてはパチンコ機特有のものというものでもないから、前記、本件請求項１に係る発明についての相違点４の検討で述べた理由と同様の理由により、刊行物１記載の発明に適用することは当業者において容易なことである。
　しかも、本件請求項５に係る発明の作用効果も、上記の点を限定したことで、刊行物１，２の記載から予測できる以上の格別のものになるとは認められない。
　したがって、本件請求項５に係る発明は、刊行物１及び刊行物２に記載された発明に基づいて当業者が容易に発明をすることができたものである。
　
４．むすび
　以上のとおりであるから、本件請求項１乃至５に係る発明は、特許法第２９条第２項の規定により特許を受けることができない。
　したがって、本件請求項１乃至５に係る発明についての特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年６月６日（２００２．６．６）
【訂正の要旨】
訂正の要旨
　１）訂正事項ａ
　特許請求の範囲を誤記の訂正と特許請求の範囲の減縮を目的として次のように訂正する。
「【請求項１】スロットマシンのリールの
回り
　【請求項２】ゲーム内容に関する表示と適宜テレビ放送等による画像などの表示との切換えは、ゲームの一般入賞時又は特別入賞時に得られる信号により自動切換されるようにした請求項１の表示画面付スロットマシン。
　【請求項３】ゲーム内容に関する表示と適宜テレビ放送等による画像などの表示切換は、手動により随時行うことができるようにした請求項１又は２の表示画面付スロットマシン。
　【請求項４】表示画面はスロットマシン本体とは分離して形成し、スロットマシン本体の
前面上部
　【請求項５】テレビ放送は、一般のテレビ放送のほか、スロットマシン内に内蔵するか、又は、店内等に設けられた放映設備から供給される各種の映像，画像，文字などの表示である請求項１〜４のいずれかの表示画面付スロットマシン。」（下線は訂正個所を示す）
　２）訂正事項ｂ
　明細書の発明の詳細な説明の欄の「〔課題を解決するための手段〕上記課題を・・・形成する一方、」（本件特許掲載公報２頁３欄２６〜３０行参照）を明りょうでない記載の釈明を目的として次のように訂正する。
「〔課題を解決するための手段〕
　上記課題を解決することを目的としてなされた
本発明表示画面付きスロットマシンの構成は
回り
　３）訂正事項ｃ
　明細書の発明の詳細な説明の欄の「第２図に示したものでは、・・・後付けにより設置したものである。」（本件特許掲載公報２頁４欄３９〜４１行参照）を明りょうでない記載の釈明を目的として次のように訂正する。
「第２図に示したものでは、既設のスロットマシン、又は、高さをやや小さ目に形成したスロットマシンの
前面上部
　４）訂正事項ｄ
　明細書の発明の詳細な説明の欄の「〔発明の効果〕本発明は・・・表示画面に形成することにより、」（本件特許掲載公報３頁６欄１６〜１９行参照）を明りょうでない記載の釈明を目的として次のように訂正する。
「〔発明の効果〕
　本発明は以上の通りであって、スロットマシンの
リールの回りに設ける
（５４）【発明の名称】
表示画面付スロットマシン
（５７）【特許請求の範囲】
　【請求項１】　スロットマシンのリールの
回り
　【請求項２】　ゲーム内容に関する表示と適宜テレビ放送等による画像などの表示との切換えは、ゲームの一般入賞時又は特別入賞時に得られる信号により自動切換されるようにした請求項１の表示画面付スロットマシン。
　【請求項３】　ゲーム内容に関する表示と適宜テレビ放送等による画像などの表示切換は、手動により随時行うことができるようにした請求項１又は２の表示画面付スロットマシン。
　【請求項４】　表示画面はスロットマシン本体とは分離して形成し、スロットマシン本体の
前面上部
　【請求項５】　テレビ放送は、一般のテレビ放送のほか、スロットマシン内に内蔵するか、又は、店内等に設けられた放映設備から供給される各種の映像，画像，文字などの表示である請求項１〜４のいずれかの表示画面付スロットマシン。
【発明の詳細な説明】
〔産業上の利用分野〕
　本発明はスロットマシンの正面パネル上に相当の広面積で形成された表示画面を有するスロットマシンに関するものである。
〔従来の技術〕
　従来からスロットマシン等の遊技機に於て、ゲ−ム感を盛上げたり、入賞表示のために、小型電球やＬＥＤ等を点灯，点滅させるようにしたものは公知である。
　また、スロットマシン等の遊技機に類するいわゆるゲ−ム機に於て、ゲ−ム内容をＣＲＴ等の表示管に表示させるようにしたものも公知である。
　更には、テレビ画面をゲ−ム盤面内に設けたパチンコ機も実用化されたことがある。
〔発明が解決しようとする課題〕
　しかし、従来の遊技機やゲ−ム機における表示部分は、遊技機にあっては入賞表示や装飾用のイルミネ−ション表示、或は、ゲ−ム結果の数値表示などのためであり、また、ゲ−ム機ではいわゆるテレビゲ−ムと称されるようにゲ−ム自体を表示するためのものであるから、これら以外の情報の表示をなすようにしたものはない。また、テレビ画面を盤面に取付けたパチンコ機では、球の運行を見ながらテレビを見ることがきわめて困難であったため、好評を博すには至らなかった。
　本発明は上記のような従来の遊技機の表示やゲ−ム機の表示に鑑み、従来の遊技機における表示内容のほかに、専用放送，コマ−シャル，スポ−ツ番組，ニュ−ス番組等をタイミングを図り乍ら選択的に表示できる表示画面を具備したスロットマシンを開発することを課題としてなされたものである。
〔課題を解決するための手段〕
　上記課題を解決することを目的としてなされた
本発明表示画面付きスロットマシンの構成は
回り
〔作　用〕
　スロットマシンの正面パネルにおけるリ−ル近傍に設けた比較的大型の表示画面には、当該スロットマシンのゲ−ム内容に関する表示と、適宜のテレビ放送の表示とを、ゲ−ム内容の表示を優先して切換表示するようにしたので、スロットマシンのゲ−ム性を何ら損なうことなく、各種のテレビ放送等も楽しむことが出来る。
〔実施例〕
　次に図に拠り本発明の実施例について説明する。
　第１図は本発明の表示画面を設けたスロットマシンの一例の正面図、第２図は同じく別例の正面図、第３図は他の例の正面図、第４図は本発明スロットマシンにおける表示画面の駆動制御系の一例のブロック図である。
　第１図〜第３図に於て、１はリ−ル回転タイプのスロットマシンの外箱、２は正面パネル、３〜５はこの外箱１の正面パネル２の中央乃至はやや上方寄りに横並びに設けた３個のリ−ルである。ここで、本発明が適用されるスロットマシンは、リ−ルの数は３個以上のものであってもよく、その配列態様も横列されたものに限られるものではない。図示したリ−ル３〜５の配列態様は一例にすぎないのである。
　６はスロットマシンゲ−ムの操作部で、少なくとも各リ−ル３〜５の回転スタ−トボタン６ａと各リ−ル３〜５の回転ストップボタン６ｂ〜６ｄ、或は、これらと同様の作用をする部材により形成されている。尚、この操作部６には、図示しないが、精算ボタンやオ−トゲ−ムボタンなど、ゲ−ムの進行，終了などゲ−ム操作に必要な操作ボタン乃至はそれと同等の作用をするものが設けられることもある。
　７はゲ−ムスタ−ト条件の設定部で、ここではメダル投入口７ａ、球投入口７ｂ、カ−ド挿入口７ｃを、この設定部７の一例として併設しているが、この設定部７は上記の各投入口，挿入口７ａ〜７ｃのいずれか１つ又はそれらの２つの組合せ併設型式であってよい。また、これら以外の設定部用の部材、例えば、テンキ−ボ−ド（図示せず）などが併設されることもある。
　８は払出が現物のゲ−ム媒体、例えば、メダルやボ−ルで行われる場合の受皿セット部で、上記の正面パネル２の下端部に大きく開口して形成されており、払出時にはこの部８に受皿（図示せず）をセットする。
　この受皿セット部８に代え、この部８の近くに払出受皿（図示せず）を固定的に設けるようにしたものでもよい。また、ゲ−ム結果を記録媒体（磁気カ−ド，ＩＣカ−ド等）に書込んで、当該カ−ドを送り出すカ−ド送出口や、ゲ−ム結果を印字してレシ−ト状に打出す記録紙送出口が、このセット部８の近傍に併設又は単独に設けられる型式のものもある。
　上記の各部１〜８により本発明を適用するスロットマシンにおける正面パネル側の構成の一例を形成する。
　本発明は上記のような構成を具備するスロットマシンにおいて、第１図に示したスロッシマシンでは、正面パネル２におけるリ−ル３〜５の上部に、一例としてバックライトタイプの液晶表示部９を、当該正面パネル２の余白に合わせほぼ一ぱいの広さに設置した。
　第２図に示したものでは、既設のスロットマシン、又は、高さをやや小さ目に形成したスロットマシンの前面上部に、液晶表示部９１を後付けにより設置したものである。
　一方、第３図に示すスロットマシンは、正面パネル２の略上半部全域に液晶表示部９２を設け、各リ−ル３〜５は、この液晶表示部９２に予め形成したリ−ル窓孔９２ａ，９２ｂ，９２ｃから各リ−ルの絵柄を見ることが出来るように形成されている。
　而して、上記の第１図〜第３図に示した各スロットマシンにおける液晶表示部９，９１，９２は、第４図に一例として示す駆動制御部ＣＤによって、次に説明するように駆動制御される。
　第４図に於て、１１はゲ−ムル−ル、ゲ−ムの行い方，進め方などを、画像信号で書込んだゲ−ム表示プログラム部、１２は前記プログラム部１１のプログラムによって液晶表示部９〜９２のいずれかを駆動する第一駆動部、１３は各リ−ル３〜５の停止によって入賞ライン上における各リ−ル３〜５の絵柄が入賞しているかどうかを判別する入賞判別部で、この判別部１３の入賞信号は、図示しないがスロットマシン本体側の払駆動部（又は払出演算部若しくは払出貯溜部など）に供給されると共に、切換制御部１４に供給され、上記の第一駆動部１２に入賞表示プログラム部１５の信号が供給されるように作用する。
　一方、上記第一駆動部１２は切換部１６を介して液晶表示部９〜９２のいずれかに接続されていると共に、この切換部１６には、有線テレビ放送等の有線映像，画像プログラム部１７がその駆動部を第二駆動部１８として接続され、また、商業用の各種テレビ放送の受信部１９がその出力部を第三駆動部２０として接続されている。
　而して、通常、液晶表示部９（９１，９２）には、ゲ−ム表示プログラム部１１の内容が切換制御部１４，第一駆動部１２，切換部１６を経由して常時供給され、ゲ−ム内容等の表示がなされている。
　ゲ−ム時に入賞があると、入賞判別部１３の信号が入賞表示プログラム部１５に供給され、これにより切換制御１４が切換えられて入賞表示プログラム部１５の内容が第一駆動部１２を経由して液晶表示部９（９１，９２）に表示される。このとき切換制御部１４からは切換部１６に対し切換トリガ−ｔ　が供給されるが、直前の表示内容がゲ−ム表示プログラムの内容であるときは、切換部１６は切換えられない。
　上記の設定状態において、プレ−ヤが切換部１６に切換信号ｔ　をマニュアル操作（図示しないが正面パネル２に設けた切換スイッチの操作などによる）により供給すると、この切換部１６は有線テレビ等の映像，画像プログラムによる表示か、又は、商業テレビ放送等による表示側に切換信号ｔ　によって切換えることができる。どちらの放送を選択するかは、プレ−ヤ、又は、ホ−ル側のマニュアル操作や予め設定した切換プログラムなどにより任意に又は計画的に行うことができるものとする。
　上記の切換操作により、上記表示部９〜９２には、商業テレビ放送か有線テレビ放送などによる映像，画像のいずれかがそれらの駆動部１８又は２０の作動により表示されることとなる。
　ここで、有線映像，画像プログラム部１７には、コマ−シャル映像やその他任意の映像，画像，文字等を予めプログラムしたものが収録されているものとする。
　また、上記の駆動制御部ＣＤの全部又は一部は、スロットマシンの本体内に内装する型式とするか、外付け構造とするかは任意である。
　尚、表示部９〜９２は、ＬＥＤの密集配列により形成したり、ＣＲＴにより形成することもある。ＬＥＤにより表示部９〜９２を形成したときは、商業テレビ放送の受信信号は、ＬＥＤの駆動信号に変換されるものとする。
　また、上記実施例において、表示部９〜９２のテレビ放送の表示には、実施例では説明しなかったが、通常は音声表示を伴うものとするが、音声表示を伴なわせないこともある。
〔発明の効果〕
　本発明は以上の通りであって、スロットマシンの
リールの回りに設ける
　また、上記のような表示部の構成とすることにより、選択的に商業テレビ放送や有線映像，画像，文字などのプログラム内容を当該表示部に表示させることができるので、表示部の役割，効果は従来品には全く期待できないきわめて顕著なものとなる。
【図面の簡単な説明】
　第１図は表示画面を設けたスロットマシンの一例の正面図、第２図は同じく別例の正面図、第３図は本発明の一例の正面図、第４図は本発明スロットマシンにおける表示画面の駆動制御系の一例のブロック図である。
　１…スロットマシンの外箱、２…正面パネル、３〜５…リ−ル、６…ゲ−ム操作部、７…ゲ−ムスタ−ト条設定部、８…受皿セット部、９，９１，９２…液晶表示部、１１…ゲ−ム表示プログラム部、１２…第一駆動部